(57)【要約】【課題】特定のグループ内で開催される宴会について、参加者に応じた宴会場所を推薦する。【解決手段】取得手段１ａは、開催が予定されている宴会に関する宴会情報を取得する。選択手段１ｂは、参加者情報記憶手段１ｄに格納されている参加者情報と、宴会場所情報記憶手段１ｅに格納されている宴会場所情報と、取得手段１ａによって取得された宴会情報とに基づいて宴会場所情報に示された宴会場所から推薦する宴会場所を選択する。出力手段１ｃは、選択手段１ｂによって選択された宴会場所を示す推薦情報を出力する。【選択図】図１
2010033484.tif 000002
【特許請求の範囲】
【請求項１】
所定のグループ内で開催される宴会の参加者に関する情報である参加者情報を格納する参加者情報記憶手段と、
前記宴会の開催場所となり得る宴会場所に関する情報である宴会場所情報を格納する宴会場所情報記憶手段と、
開催が予定されている前記宴会に関する宴会情報を取得する取得手段と、
前記参加者情報記憶手段に格納されている前記参加者情報と、前記宴会場所情報記憶手段に格納されている前記宴会場所情報と、前記取得手段によって取得された前記宴会情報とに基づいて前記宴会場所情報に示された前記宴会場所から推薦する前記宴会場所を選択する選択手段と、
前記選択手段によって選択された前記宴会場所を示す推薦情報を出力する出力手段と、
を有することを特徴とする宴会場所推薦装置。
【請求項２】
前記参加者情報は、前記参加者の居場所に関する情報である居場所情報を含み、
前記宴会場所情報は、前記宴会場所の所在地に関する情報である所在地情報を含み、
前記選択手段は、前記参加者情報の前記居場所情報と前記宴会場所情報の前記所在地情報とを比較することによって前記宴会場所を評価し、評価結果に基づいて前記宴会場所情報に示された前記宴会場所から推薦する前記宴会場所を選択することを特徴とする請求項１記載の宴会場所推薦装置。
【請求項３】
前記参加者情報は、前記参加者の飲食物の好みに関する情報である好み情報を含み、
前記宴会場所情報は、前記宴会場所で提供される飲食物の情報である提供情報を含み、
前記選択手段は、前記参加者情報の前記好み情報と前記宴会場所情報の前記提供情報とを比較し、比較結果に基づいて前記宴会場所情報に示された前記宴会場所から推薦する前記宴会場所を選択することを特徴とする請求項１記載の宴会場所推薦装置。
【請求項４】
前記参加者が前記宴会場所を利用した利用履歴を示す利用履歴情報を格納する利用履歴情報記憶手段を有し、
前記選択手段は、前記利用履歴情報に基づいて、前記参加者の利用が少ない前記宴会場所を選択することを特徴とする請求項１記載の宴会場所推薦装置。
【請求項５】
前記選択手段による選択の際の各項目の重みを示す重み情報を格納する重み情報記憶手段を有し、
前記選択手段は、前記重み情報に基づいて前記宴会場所から推薦する前記宴会場所を選択することを特徴とする請求項１記載の宴会場所推薦装置。
【請求項６】
コンピュータに、
取得手段が、開催が予定されている、所定のグループ内で開催される宴会に関する宴会情報を取得する取得ステップと、
選択手段が、参加者情報記憶手段に格納されている前記宴会の参加者に関する情報である参加者情報と、宴会場所情報記憶手段に格納されている前記宴会の開催場所となり得る宴会場所に関する情報である宴会場所情報と、前記取得手段によって取得された前記宴会情報とに基づいて前記宴会場所情報に示された前記宴会場所から推薦する前記宴会場所を選択する選択ステップと、
出力手段が、前記選択手段によって選択された前記宴会場所を示す推薦情報を出力する出力ステップと、
を実行させることを特徴とする宴会場所推薦プログラム。
【発明の詳細な説明】
【技術分野】
【０００１】
本発明は、宴会場所推薦装置および宴会場所推薦プログラムに関し、特に、格納している宴会場所に関する情報から選択して宴会場所を推薦する宴会場所推薦装置および宴会場所推薦プログラムに関する。
【背景技術】
【０００２】
従来、イベント等の開催のために会合施設を選択する際、多数の会合コストに基づいて選択する技術が知られている（例えば、特許文献１参照）。
また、個人向けのおすすめのお店検索システム等では、参加人数や、料金、料理等の条件で検索するものが知られている（例えば、特許文献２参照）。
【特許文献１】特表２００３−５１７６５７号公報
【特許文献２】特開２００６−３２３８０５号公報
【発明の開示】
【発明が解決しようとする課題】
【０００３】
しかし、検索して見つかったお店が、良いお店でも、参加者の大多数がよく行っているお店だったりすると、マンネリによって飽きが生じるため、参加者にとって高い満足が得られない場合があるという問題点がある。
【０００４】
さらに、各参加者の職場や住所等の地理的状況および宴会場所の費用の他にも、参加者ごとに、料理や場所の好み、最近利用した店等の行動履歴が異なる場合があることに加え、宴会は一般的に参加者が多数であるため、参加者全員に最適な宴会場所を選択することは、幹事にとっては大変な負担が生じる場合があるという問題点がある。
【０００５】
本件はこのような点に鑑みてなされたものであり、特定のグループ内で開催される宴会について、参加者に応じた宴会場所を推薦する宴会場所推薦装置および宴会場所推薦プログラムを提供することを目的とする。
【課題を解決するための手段】
【０００６】
開示の宴会場所推薦装置は、所定のグループ内で開催される宴会の参加者に関する情報である参加者情報を格納する参加者情報記憶手段と、前記宴会の開催場所となり得る宴会場所に関する情報である宴会場所情報を格納する宴会場所情報記憶手段と、開催が予定されている前記宴会に関する宴会情報を取得する取得手段と、前記参加者情報記憶手段に格納されている前記参加者情報と、前記宴会場所情報記憶手段に格納されている前記宴会場所情報と、前記取得手段によって取得された前記宴会情報とに基づいて前記宴会場所情報に示された前記宴会場所から推薦する前記宴会場所を選択する選択手段と、前記選択手段によって選択された前記宴会場所を示す推薦情報を出力する出力手段と、を有する。
【０００７】
開示の宴会場所推薦装置によれば、参加者情報記憶手段により、参加者情報が格納されている。宴会場所情報記憶手段により、宴会場所情報が格納されている。取得手段により、宴会情報が取得される。選択手段により、参加者情報と、宴会場所情報と、宴会情報とに基づいて推薦する宴会場所が選択される。出力手段により、選択手段によって選択された宴会場所を示す推薦情報が出力される。
【発明の効果】
【０００８】
開示の宴会場所推薦装置および宴会場所推薦プログラムによれば、特定のグループ内で開催される宴会について、参加者に応じた宴会場所を推薦することが可能になる。
【発明を実施するための最良の形態】
【０００９】
以下、実施の形態について、図面を参照して説明する。
図１は、本実施の形態の概要を示す図である。図１に示す宴会場所推薦装置１は、所定のグループ内において開催予定の宴会の宴会場所を推薦する。宴会場所推薦装置１は、取得手段１ａ、選択手段１ｂ、出力手段１ｃ、参加者情報記憶手段１ｄおよび宴会場所情報記憶手段１ｅを有する。
【００１０】
取得手段１ａは、開催が予定されている宴会に関する宴会情報を取得する。宴会情報は、具体的には、宴会の開催日時、参加者および参加人数等、宴会に関する情報である。
選択手段１ｂは、参加者情報記憶手段１ｄに格納されている参加者情報と、宴会場所情報記憶手段１ｅに格納されている宴会場所情報と、取得手段１ａによって取得された宴会情報とに基づいて宴会場所情報に示された宴会場所から推薦する宴会場所を選択する。これにより、宴会の主催者等に推薦する宴会場所が選択される。
【００１１】
出力手段１ｃは、選択手段１ｂによって選択された宴会場所を示す推薦情報を出力する。出力手段１ｃから出力された推薦情報に基づいて、選択された宴会場所を示す推薦情報が図示しない表示手段に表示される。この表示手段は、宴会場所推薦装置１が有するものであってもよく、宴会場所推薦装置１とは別に設けられたものであってもよい。
【００１２】
また、出力手段１ｃから出力された推薦情報は、図示しないコンピュータまたは記憶装置等に格納されてもよい。この場合、格納された推薦情報は、必要に応じて表示され、または読み出される。
【００１３】
参加者情報記憶手段１ｄは、職場等、所定のグループ内で開催される宴会の参加者に関する情報である参加者情報を格納する。参加者は、通常、所定のグループに属するメンバである。例えば、グループが職場であればその職場の職員がメンバであり、グループが同好会であればその同好会の会員がメンバである。参加者情報は、具体的には、参加者名、居場所（勤務地、自宅の所在地等）、飲食物の好み等を含む情報である。
【００１４】
宴会場所情報記憶手段１ｅは、宴会の開催場所となり得る宴会場所に関する情報である宴会場所情報を格納する。宴会場所は、例えば、居酒屋、レストラン、ビアホール、宴会場を有するホテル等である。宴会場所情報は、具体的には、宴会場所の名称（店名等）、所在地、提供される飲食物（料理、酒等）等を含んだ、宴会場所に関する情報である。
【００１５】
このような宴会場所推薦装置１によれば、参加者情報記憶手段１ｄにより、参加者情報が格納されている。宴会場所情報記憶手段１ｅにより、宴会場所情報が格納されている。取得手段１ａにより、宴会情報が取得される。選択手段１ｂにより、参加者情報と、宴会場所情報と、宴会情報とに基づいて推薦する宴会場所が選択される。出力手段１ｃにより、選択手段１ｂによって選択された宴会場所を示す推薦情報が出力される。
【００１６】
これによって、選択手段１ｂが、所定のグループ内で開催される宴会の参加者に関する参加者情報に基づいて推薦する宴会場所を選択するので、予め特定された範囲のグループに属する参加者に応じて宴会場所を推薦することが可能になる。
【００１７】
以下、本実施の形態について図面を参照して詳細に説明する。
図２は、本実施の形態のシステム構成を示す図である。図２に示す宴会場所推薦システムは、職場等、予め決まった範囲のメンバから構成される組織３０において、組織３０に属するメンバの一人であるユーザによって操作される端末装置３１，３２が、処理サーバ１００にアクセスしてデータの送受信を行うことにより、宴会場所の決定を支援するシステムである。ここで、組織３０の範囲については、必要に応じて定まるものとする。職場の場合においては、例えば、一つの部門を組織として扱ってもよいし、例えば、会社全体を組織として扱ってもよい。また、組織３０内における同好会やサークル等、任意の団体であってもよい。
【００１８】
本実施の形態に係る宴会場所推薦システムでは、端末装置３１，３２が、ＬＡＮ（Local Area Network）１０を介して、宴会場所の推薦を行う処理サーバ１００、電子メールの送受信を管理するメールサーバ２１、インターネット（Internet）４０と接続可能なネットワークサーバ４１と接続される。
【００１９】
また、処理サーバ１００は、ネットワークサーバ４１と通信することにより、インターネット４０を介して外部のサーバに格納されている情報を収集する機能を有する。これにより、処理サーバ１００は、宴会場所の情報を収集することができる。
【００２０】
また、処理サーバ１００は、メールサーバ２１がネットワークサーバ４１およびインターネット４０を介して組織３０内部または組織３０内部と外部との間でやり取りされた格納された電子メールから情報を収集する機能を有する。これにより、処理サーバ１００は、組織３０のメンバの宴会場所の利用に関する情報、および宴会の開催に関する情報を収集することができる。
【００２１】
端末装置３１，３２は、組織３０内部のユーザが組織３０内での業務その他の利用のために設けられたコンピュータである。また、端末装置３１，３２は、メールサーバ２１を操作して、組織３０内およびインターネット４０を介して組織３０の外部に電子メールを送受信する機能を有する。また、端末装置３１，３２は、処理サーバ１００が提供する宴会場所推薦機能を利用することもできる。
【００２２】
メールサーバ２１は、ネットワークサーバ４１およびインターネット４０を介して、端末装置３１，３２と接続可能である。メールサーバ２１は、組織３０内および組織３０内と外部との間の電子メールの送受信を行うサーバである。
【００２３】
図３は、処理サーバのハードウェア構成を示す図である。図３に示す処理サーバ１００は、ＣＰＵ（Central Processing Unit）１０１によって装置全体が制御されている。ＣＰＵ１０１には、バス１０７を介してＲＡＭ（Random Access Memory）１０２、ハードディスクドライブ（ＨＤＤ:Hard Disk Drive）１０３、グラフィック処理装置１０４、入力インタフェース１０５および通信インタフェース１０６が接続されている。
【００２４】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションプログラムが格納される。
【００２５】
グラフィック処理装置１０４には、モニタ１１が接続されている。グラフィック処理装置１０４は、ＣＰＵ１０１からの命令に従って、画像をモニタ１１の画面に表示させる。入力インタフェース１０５には、キーボード１２とマウス１３とが接続されている。入力インタフェース１０５は、キーボード１２やマウス１３から送られてくる信号を、バス１０７を介してＣＰＵ１０１に送信する。
【００２６】
通信インタフェース１０６は、ＬＡＮ１０等のネットワークに接続されている。通信インタフェース１０６は、これらのネットワークを介して、他のコンピュータとの間でデータの送受信を行う。また、通信インタフェース１０６は、インターネット４０等その他のネットワークにも接続可能である。
【００２７】
なお、メールサーバ２１、端末装置３１，３２、ネットワークサーバ４１も、処理サーバ１００と同様のハードウェア構成によって実現される。ただし、メールサーバ２１、端末装置３１，３２の通信インタフェースは、ＬＡＮ１０と接続されている。また、ネットワークサーバ４１の通信インタフェースは、インターネット４０と接続されている。
【００２８】
以上のようなハードウェア構成によって、本実施の形態の処理機能を実現することができる。
図４は、処理サーバの構成を示すブロック図である。図４に示す処理サーバ１００は、所定の組織３０内において開催予定の宴会の宴会場所を推薦する。処理サーバ１００は、取得部１１１、選択部１１２、出力部１１３、通信部１１４、更新部１１５、参加者情報記憶部１５１、宴会場所情報記憶部１５２、利用履歴情報記憶部１５３および重み情報記憶部１５４を有する。
【００２９】
取得部１１１は、開催が予定されている宴会に関する宴会情報を取得する。宴会情報は、具体的には、宴会の開催日時、参加者および参加人数等、宴会に関する情報である。なお、取得部１１１は、通信部１１４によってメール管理装置と通信することにより、メール管理装置から電子メールに関する情報であるメール情報を取得することができるようにしてもよい。
【００３０】
選択部１１２は、参加者情報記憶部１５１に格納されている参加者情報と、宴会場所情報記憶部１５２に格納されている宴会場所情報と、取得部１１１によって取得された宴会情報とに基づいて宴会場所情報に示された宴会場所から推薦する宴会場所を選択する。これにより、宴会の主催者等に推薦する宴会場所が選択される。
【００３１】
選択部１１２は、参加者情報の居場所情報と宴会場所情報の所在地情報とを比較することによって宴会場所を評価し、評価結果に基づいて宴会場所情報に示された宴会場所から推薦する宴会場所を選択する。また、選択部１１２は、参加者情報の好み情報と宴会場所情報の提供情報とを比較し、比較結果に基づいて宴会場所情報に示された宴会場所から推薦する宴会場所を選択する。また、選択部１１２は、利用履歴情報に基づいて、参加者の利用が少ない宴会場所を選択することができる。
【００３２】
選択部１１２は、重み情報に基づいて宴会場所から推薦する宴会場所を選択する。このとき選択部１１２は、重要参加者情報に基づいて、重要参加者の参加者情報と利用履歴情報とから得られる評価に大きい重みを付けて評価して、宴会場所から推薦する宴会場所を選択することができる。また、選択部１１２は、宴会場所の所在地、提供される料理等の評価に大きい重みを付けて評価してもよい。
【００３３】
また、選択部１１２は、宴会場所情報の所在地情報に基づいて、宴会の候補を除外する。これにより、所在地から明らかに宴会場所として推薦する必要性がない宴会場所について予め除外することで、選択部１１２による選択または出力部１１３による端末装置３１への出力の負担を軽減することができる。
【００３４】
出力部１１３は、選択部１１２によって選択された宴会場所を示す推薦情報を、端末装置３１の図示しないモニタに、評価結果に基づいて整列したリストとして一覧表示されるように出力する。出力部１１３から出力された推薦情報に基づいて、選択された宴会場所を示す推薦情報が端末装置３１のモニタに一覧表示される。なお、推薦結果の一覧表示は、処理サーバ１００に接続されたモニタ１１に表示されてもよい。
【００３５】
また、出力部１１３から出力された推薦情報は、図示しないコンピュータまたは記憶装置等に格納されてもよい。この場合、格納された推薦情報は、必要に応じて表示され、または読み出される。
【００３６】
通信部１１４は、ＬＡＮ１０を介して電子メールの送受信を管理するメールサーバ２１と通信する。これにより、取得部１１１は、メールサーバ２１に格納されている電子メールに関するメール情報を取得することができる。
【００３７】
更新部１１５は、参加者情報記憶部１５１に格納されている参加者情報と、宴会場所情報記憶部１５２に格納されている宴会場所情報と、利用履歴情報記憶部１５３に格納されている利用履歴情報とを更新する。このとき更新部１１５は、取得部１１１によって取得されたメール情報に基づいて参加者情報と、宴会場所情報と、利用履歴情報とを更新する。
【００３８】
参加者情報記憶部１５１は、職場等、所定の組織３０内で開催される宴会の参加者に関する情報である参加者情報を格納する。参加者は、通常所定の組織３０に属するメンバである。例えば、組織３０のように、グループが職場であればその職員がそのグループのメンバであり、グループが同好会であればその会員がメンバである。参加者情報は、具体的には、参加者名、参加者の居場所に関する情報である居場所情報（勤務地、自宅の所在地等）、参加者の飲食物の好みに関する情報である好み情報等を含んでいる。
【００３９】
宴会場所情報記憶部１５２は、宴会の開催場所となり得る宴会場所に関する情報である宴会場所情報を格納する。宴会場所は、例えば、居酒屋、レストラン、ビアホール、宴会場を有するホテル等である。宴会場所情報は、具体的には、宴会場所の名称（店名等）、宴会場所の所在地に関する情報である所在地情報、提供される飲食物（料理、酒等）を示す情報である提供情報等を含んだ、宴会場所に関する情報である。
【００４０】
利用履歴情報記憶部１５３は、参加者が宴会場所を利用した利用履歴を示す利用履歴情報を格納する。この利用履歴情報は、各参加者が全く利用していないかまたは最近利用していない宴会場所の評価を高めることにより、参加者の飽きを防止して参加者の宴会の満足度を高めるために用いられる。
【００４１】
重み情報記憶部１５４は、選択部１１２による選択の際の各項目の重みを示す重み情報を格納する。重み情報は、宴会において重要な参加者を特定する重要参加者情報を含んでいる。ここで、重要な参加者とは、開催される宴会における主賓、職場における上司、飲食物の好みや宴会場所の選択にこだわりのある人等、開催される宴会において、その参加者の満足度を高めたい人物が設定される。
【００４２】
次に、本実施の形態で使用されるデータのデータ構造例について説明する。
図５は、宴会場所テーブルの構成例を示す図である。図５に示す宴会場所テーブル１５１ａは、処理サーバ１００（図３において前述）によって作成および管理され、ＨＤＤ１０３（図３において前述）に格納されている。宴会場所テーブル１５１ａは、宴会の会場の候補となる宴会場所（店舗）の情報を示す宴会場所情報を格納するテーブルである。
【００４３】
宴会場所テーブル１５１ａには、宴会場所を一意に特定するための符号を示す項目である“宴会場所ＩＤ”、その宴会場所の名称を示す項目である“宴会場所名”、その宴会場所の最寄駅を示す項目である“最寄駅”、その最寄駅からその宴会場所までの所要時間を示す項目である“所要時間”、その宴会場所で提供される代表的な料理を示す項目である“料理”、その宴会場所で提供される代表的な酒を示す項目である“酒”、その宴会場所で提供される料理のコースを示す項目である“コース”、その宴会場所において飲み放題メニューが可能であるか否かおよび可能な場合の値段を示す項目である“飲み放題”、その宴会場所に対する組織３０のメンバによる評価を示す項目である“評価”、その宴会場所に対するその他の情報を示す項目である“付加情報”が設けられている。各項目の横方向に並べられた情報同士が互いに関連付けられて、宴会場所情報を構成する。
【００４４】
処理サーバ１００が提供する宴会場所推薦機能を利用するメンバは、評価および付加情報について入力することで、実際に利用した結果またはそれ以外に入手した情報を記録することができる。評価は、実際に利用したメンバがその宴会場所についての評価を入力する。付加情報は、例えばキャンペーン情報等、その宴会場所に対するその他の情報を入力する。この評価、付加情報の項目に入力された情報は、端末装置３１等を操作することにより表示することができる。
【００４５】
本実施の形態の処理サーバ１００では、宴会場所情報は、メンバによる処理サーバ１００への入力または処理サーバ１００によるインターネット４０を介する自動的な情報収集によって作成され、処理サーバ１００のＨＤＤ１０３に格納される。
【００４６】
図６は、参加者テーブルの構成例を示す図である。図６に示す参加者テーブル１５２ａは、処理サーバ１００（図３において前述）によって作成および管理され、ＨＤＤ１０３（図３において前述）に格納されている。参加者テーブル１５２ａは、組織３０のメンバであり、組織３０において開催される宴会に参加する可能性があるメンバの情報を示す参加者情報を格納するテーブルである。
【００４７】
参加者テーブル１５２ａには、参加者を一意に特定するための符号を示す項目である“参加者ＩＤ”、その参加者の氏名を示す項目である“参加者名”、その参加者の勤務地の最寄駅を示す項目である“勤務地”、その参加者の自宅の最寄駅を示す項目である“自宅最寄駅”、その参加者の好みを示す項目である“好み”が設けられている。各項目の横方向に並べられた情報同士が互いに関連付けられて、参加者情報を構成する。
【００４８】
本実施の形態の処理サーバ１００では、処理サーバ１００の宴会場所推薦機能を利用するメンバの情報が、参加者情報として格納されている。参加者情報は、メンバによる処理サーバ１００への入力または組織３０内の電子メールから処理サーバ１００による図示しないメールサーバへのアクセスによる自動的な情報収集によって作成され、ＨＤＤ１０３に格納される。
【００４９】
図７は、利用履歴テーブルの構成例を示す図である。図７に示す利用履歴テーブル１５３ａは、処理サーバ１００（図３において前述）によって作成および管理され、ＨＤＤ１０３（図３において前述）に格納されている。利用履歴テーブル１５３ａは、組織３０のメンバが宴会の会場の候補となる宴会場所を利用した履歴に関する情報を示す利用履歴情報を格納するテーブルである。
【００５０】
利用履歴テーブル１５３ａには、参加者を一意に特定するための符号を示す項目である“参加者ＩＤ”、その参加者が利用した宴会場所を一意に特定するための符号を示す項目である“宴会場所ＩＤ”、その参加者がその宴会場所を利用した日時を示す項目である“利用年月日”が設けられている。各項目の横方向に並べられた情報同士が互いに関連付けられて、利用履歴情報を構成する。
【００５１】
利用履歴情報は、参加者ＩＤによって参加者情報と紐付けられているとともに、宴会場所ＩＤによって宴会場所情報と紐付けられている。これらの紐付けによって、各メンバが利用した宴会場所および日付を把握することができるとともに、各メンバが宴会場所を利用した回数を集計することもできる。
【００５２】
本実施の形態の処理サーバ１００では、各メンバの宴会場所の利用履歴の情報が、利用履歴情報として格納されている。利用履歴情報は、メンバによる処理サーバ１００への入力または組織３０内の電子メールから処理サーバ１００による図示しないメールサーバへのアクセスによる自動的な情報収集によって作成され、ＨＤＤ１０３に格納される。
【００５３】
図８は、重みテーブルの構成例を示す図である。図８に示す重みテーブル１５４ａは、処理サーバ１００（図３において前述）によって作成および管理され、ＨＤＤ１０３（図３において前述）に格納されている。重みテーブル１５４ａは、組織３０のメンバであり、組織３０において開催される宴会に推薦される宴会場所の候補の評価項目の重み付けを示す重み情報を格納するテーブルである。
【００５４】
重みテーブル１５４ａには、開催される宴会において重要な参加者である重要参加者を特定するための符号を示す項目である“重要参加者ＩＤ”、宴会場所の候補の評価において宴会場所の最寄駅を重視するか否かを示す項目である“最寄駅”、宴会場所の候補の評価において宴会場所で提供される代表的な料理を重視するか否かを示す項目である“料理”、宴会場所の候補の評価において各参加者の利用頻度を重視するか否かを示す項目である“利用頻度”が設けられている。各項目の横方向に並べられた情報同士が互いに関連付けられて、重み情報を構成する。
【００５５】
ここで、重要参加者ＩＤは、参加者テーブル１５２ａ（図６において前述）に格納されている重要参加者の参加者ＩＤが用いられており、重要参加者ＩＤによって、重要参加者を特定することができる。
【００５６】
処理サーバ１００では、図９において後述する推薦宴会場所選択処理により、重み情報に基づいて選択された、推薦される宴会場所の候補が出力される。
本実施の形態の処理サーバ１００では、処理サーバ１００の宴会場所推薦機能を利用するメンバの情報が、重み情報として格納されている。重み情報は、メンバによる処理サーバ１００への入力または組織３０内の電子メールから処理サーバ１００による図示しないメールサーバへのアクセスによる自動的な情報収集によって作成され、ＨＤＤ１０３に格納される。
【００５７】
次に、本実施の形態で実行される処理について説明する。
図９は、推薦宴会場所選択処理の手順を示すフローチャートである。図９に示す推薦宴会場所選択処理は、処理サーバ１００が宴会場所として推薦する宴会場所の候補を選択する処理であり、宴会の開催および参加者等宴会の詳細が決定した後、メンバによる宴会場所推薦機能の呼び出しによって実行される。
【００５８】
［ステップＳ１１］処理サーバ１００のＣＰＵ１０１は、参加者の入力を受け付け、参加者を取得する。具体的には、例えば、端末装置３１がメンバによる参加者の入力を受け付け、端末装置３１から入力を受け付けた参加者のデータがＬＡＮ１０（図２において前述）を介して処理サーバ１００に送信される。処理サーバ１００は、送信されたデータを受信することにより、参加予定者を取得する。
【００５９】
なお、処理サーバ１００は、開催される宴会に関してメンバ同士でやり取りされる電子メールのＣＣ（Carbon Copy）等により、処理サーバ１００宛てに送信された電子メールから参加者のデータを抽出し、抽出したデータから参加者を取得してもよい。また、図示しないメールサーバに格納されている電子メールのうち宴会の開催に関するメールから自動的に参加者を抽出して、参加予定者を取得してもよい。
【００６０】
［ステップＳ１２］ＣＰＵ１０１は、ステップＳ１１で取得した参加者に基づいて、宴会場所の候補となる宴会場所の評価に使用する重み付けデータを作成する。
例えば、開催される宴会に主賓が存在する場合には、主賓についての嗜好データ、位置データ、利用頻度データの嗜好の係数を増加させることにより、主賓の参加者データの影響が増加するようにしてもよい。
【００６１】
また、参加者が利用したことがない宴会場所で開催することを希望する場合には、例えば、利用履歴情報から算出された利用頻度が少ない店のみを抽出する等、参加者の利用頻度を、各個人の嗜好や自宅最寄駅等の他の条件よりも強く影響させることにより、今まで利用したことがない宴会場所が推薦され易くすることもできる。
【００６２】
［ステップＳ１３］ＣＰＵ１０１は、ステップＳ１１で取得した各参加者の嗜好データを作成する。
嗜好データは、参加者ごとに、参加者情報の勤務地、自宅最寄駅、好み、付加情報および宴会場所情報の最寄駅、料理、評価、付加情報に基づいて、各宴会場所を数値によって評価して作成する。
【００６３】
例えば、参加者情報の“好み”に示された料理と宴会場所情報の“料理”に示された料理が一致していれば、その参加者のその宴会場所に対する“好み”の評価として高い評価の値が付与され、一致しなければ、低い評価の値が付与される。また、参加者情報の“勤務地”に示された駅と宴会場所情報の“最寄駅”に示された駅との間の鉄道による所要時間は、短いほど高く長いほど低く評価して数値化される。また、数値化された値は、その参加者のその宴会場所に対する“勤務地”の評価として付与される。他の項目についても、参加者ごとに、各宴会場所に対して同様に数値化した評価が付与される。
【００６４】
［ステップＳ１４］ＣＰＵ１０１は、ステップＳ１１で取得した各参加者の参加者情報に含まれている位置を示す情報によって、宴会場所の候補を絞り込む。
ここでは、参加者ごとに、勤務地、自宅最寄駅を元に、各宴会場所の最寄駅、徒歩による所要時間の情報を用いて、Ｗｅｂ等から取得した経路や時刻表情報を元に、足切りの対象とする範囲が絞り込まれる。なお、これらの情報は嗜好データの一部でもあるので、ステップＳ１３における嗜好データの作成の際にも使用される。
【００６５】
［ステップＳ１５］ＣＰＵ１０１は、ステップＳ１２で作成した重み付けデータ、ステップＳ１３で作成した嗜好データおよびステップＳ１４で作成した位置データに基づいて宴会場所の候補を複数抽出する。
【００６６】
ここでは、ステップＳ１４で作成した位置データによってステップＳ１２で作成した重み付けデータおよびステップＳ１３で作成した嗜好データに基づいて、各宴会場所の評価の値を集計して、集計結果の値が各宴会場所のポイントとされる。次に、集計結果に基づいて、一定の閾値以上の宴会場所のみを抽出、またはポイントの上位から所定の件数の宴会場所のみを抽出等の条件によって限定して、条件に該当する宴会場所の候補が抽出される。
【００６７】
［ステップＳ１６］ＣＰＵ１０１は、ステップＳ１１で取得した各参加者について、ステップＳ１５で抽出した宴会場所の利用頻度を集計した利用頻度データを作成する。
ここでは、各参加者の利用頻度が高いほど、その宴会場所の評価が低く、利用頻度が低いほど、その宴会場所の評価が高くなるように定量的に評価され、各宴会場所に値が付与される。なお、利用頻度データは、単純に利用した回数のみを反映させるのではなく、例えば、最近の利用であれば影響が大きくなり、過去の利用であれば影響が小さくなるように利用した回数に重みを付ける等、時間的な要素も含めて判定してもよい。
【００６８】
［ステップＳ１７］ＣＰＵ１０１は、ステップＳ１６で作成した利用頻度データに基づいて、ステップＳ１５で抽出した宴会場所を整列する。
ここでは、ステップＳ１５で各宴会場所に付与されたポイントと、ステップＳ１６で作成された利用頻度データとに基づいて、これらを総合して評価が高い宴会場所から順に評価が低いものに並ぶように整列される。なお、これに限らず、ステップＳ１５で抽出した宴会場所を、各参加者の利用頻度が高ければ順位が低くなり、利用頻度が低ければ順位が高くなるように整列してもよい。
【００６９】
［ステップＳ１８］ＣＰＵ１０１は、ステップＳ１７で整列した宴会場所のリストを出力する。処理サーバ１００は、整列した宴会場所のリストを含む推薦情報を、例えば端末装置３１に送信する。端末装置３１では、受信した推薦情報に含まれる宴会場所のリストを格納し、例えば操作するメンバの要求に応じて接続された図示しないモニタに表示する。
【００７０】
なお、本実施の形態では、ステップＳ１６で算出した参加者の利用頻度を、ステップＳ１７において抽出された宴会場所のリストを、ステップＳ１８において整列する際に用いているが、これに限らず、利用頻度を、参加者情報とともに宴会場所の抽出に用いてもよい。
【００７１】
また、ステップＳ１３で各参加者の各宴会場所に対する評価である嗜好データを作成する以前に、所定の条件で予め評価対象の宴会場所を制限してもよい。例えば、予め宴会場所の所在地の範囲（例えば、ある駅から所定の距離以内等）等の限定条件を設定可能にしてもよい。これにより、評価対象が削減されるので、嗜好データの作成の処理の負荷を軽減することができる。
【００７２】
図１０は、情報更新処理の手順を示すフローチャートである。図１０に示す情報更新処理は、処理サーバ１００が自動的に宴会場所情報および利用履歴情報を更新する処理であり、処理サーバ１００による宴会場所情報または利用履歴情報の宴会に関する情報を含む新たなデータの取得にしたがって実行される。
【００７３】
［ステップＳ２１］ＣＰＵ１０１は、宴会場所情報または利用履歴情報等の宴会に関する情報を取得する。このとき、処理サーバ１００は、例えば、メンバによって端末装置３１から入力されたデータを取得することができる。また、電子メールの本文のテキストデータ等から宴会の開催にキーワードを抽出し、抽出したキーワードに基づいて宴会場所情報または利用履歴情報を取得することができるようにしてもよい。ここで、処理サーバ１００によって情報が取得される電子メールは、処理サーバ１００宛てに送信され受信したものであってもよく、また、図示しないメールサーバに格納されている電子メールであってもよい。
【００７４】
［ステップＳ２２］ＣＰＵ１０１は、ステップＳ２１で取得したデータに、未だ宴会場所情報に登録されていない新たな宴会場所に関する情報が含まれているか否かについて判定する。新たな宴会場所に関する情報が含まれていれば、ステップＳ２３に処理を進める。一方、新たな宴会場所に関する情報が含まれていなければ、ステップＳ２４に処理を進める。
【００７５】
［ステップＳ２３］ＣＰＵ１０１は、ステップＳ２１で取得したデータに含まれている新たな宴会場所に関する情報から、その宴会場所の宴会場所情報を作成する。次にＣＰＵ１０１は、作成した宴会場所情報に新たな宴会場所ＩＤを割り当てて宴会場所テーブル１５１ａ（図５において前述）に追加する。
【００７６】
なお、取得したデータに新たな宴会場所の宴会場所情報のうちの一部の情報のみが含まれていた場合に、その他の詳細な情報について、処理サーバ１００は、インターネット４０を介して取得してもよい。例えば、取得したデータに新たな宴会場所の宴会場所名のみが含まれていた場合に、その宴会場所名に基づいてインターネット４０を介してインターネット４０に接続されている図示しない他のサーバが公開している情報について、一般に公開されている検索エンジンを用いて検索することによって、例えば、最寄駅、所要時間、提供される料理および酒、コース、飲み放題の有無および料金、その宴会場所の他の情報を取得して、自動的に宴会場所情報の他の項目を作成してもよい。
【００７７】
［ステップＳ２４］ＣＰＵ１０１は、ステップＳ２１で取得したデータに、メンバの新たな宴会場所の利用履歴に関する情報が含まれているか否かについて判定する。メンバの新たな宴会場所の利用状況に関する情報が含まれていれば、ステップＳ２５に処理を進める。一方、メンバの新たな宴会場所の利用状況に関する情報が含まれていなければ、ステップＳ２６に処理を進める。
【００７８】
［ステップＳ２５］ＣＰＵ１０１は、ステップＳ２１で取得したデータに含まれているメンバの宴会場所の利用状況の情報から、その宴会場所の宴会場所情報を作成する。次にＣＰＵ１０１は、作成した宴会場所情報に新たな宴会場所ＩＤを割り当てて宴会場所テーブル１５１ａ（図５において前述）に追加する。処理サーバ１００は、ここでは既に登録されているメンバについての、新たな利用履歴に関する利用履歴情報のみを更新する。新たなメンバの追加は、メンバによる端末装置３１の入力操作によって入力された情報に基づいて作成された参加者情報の、参加者テーブル１５２ａ（図６において前述）への格納によって行われる。
【００７９】
［ステップＳ２６］ＣＰＵ１０１は、ステップＳ２１で取得したデータに、登録された宴会場所に関する情報が含まれているか否かについて判定する。登録された宴会場所に関する情報が含まれていれば、ステップＳ２７に処理を進める。一方、登録された宴会場所に関する情報が含まれていなければ、処理を終了する。
【００８０】
［ステップＳ２７］ＣＰＵ１０１は、ステップＳ２１で取得したデータに含まれている登録された宴会場所に関する情報に基づいて、宴会場所テーブル１５１ａに格納されている宴会場所情報を更新する。処理サーバ１００は、ここでは既に登録されている宴会場所の宴会場所情報のみを更新する。新たな宴会場所に関する宴会場所情報の追加は、ステップＳ２３で行われる。
【００８１】
次に、本実施の形態で表示される表示画面について説明する。
図１１は、推薦画面を示す図である。図１１に示す推薦画面３１０は、端末装置３１（図２において前述）の図示しないモニタに表示される画面であり、処理サーバ１００が有する宴会場所推薦機能によって推薦された宴会場所を表示する推薦画面の一例である。
【００８２】
推薦画面３１０には、開催される予定の宴会に関する情報を表示する宴会情報表示領域３１１、処理サーバ１００の宴会場所推薦機能によって推薦された宴会場所を表示する宴会場所表示領域３１２、宴会場所表示領域３１２に表示されている宴会場所を切り替える表示切替ボタン３１３ａ，３１３ｂ、図示しないマウスを操作するメンバによりドラッグ・アンド・ドロップ（drag and drop）された電子メール等の電子データから情報を取得する領域である情報取得領域３１４、ユーザが入力操作を行ってデータを入力する画面である図示しない入力画面を起動する入力画面起動ボタン３１５およびユーザが設定操作を行って設定情報を入力する画面である図示しない設定画面を起動する設定画面起動ボタン３１６が設けられている。
【００８３】
宴会情報表示領域３１１には、開催予定であって、処理サーバ１００が有する宴会場所推薦機能によって宴会場所が推薦されている宴会に関する宴会情報が表示される。この宴会情報には、例えば、宴会の開催日時、「打ち上げ」、「歓送迎会」、「新年会」、「忘年会」等宴会の目的、参加人数、参加予定者等が示される。
【００８４】
宴会場所表示領域３１２には、処理サーバ１００によって実行される推薦宴会場所選択処理（図９において前述）によって出力された宴会場所の候補のリストとして一覧表示される。
【００８５】
ここでは、各宴会場所の評価を、黒色の星印「★」と、白色の星印「☆」を用いて表示する例を示す。「★」の個数が多いほどポイントが高いことを示しており、「★★★」が最も評価が高く、「★★☆」がこれに続いて評価が高い。さらに「★☆☆」が次に評価が高く、「☆☆☆」（黒色の星が０個）が最も評価が低い。これらにより、宴会場所の評価であるポイントについて詳細には表示しないが、概要を一目で判り易くすることができる。なお、これに限らず、各宴会場所のポイントを数値またはグラフ等によって詳細な比較ができるように表示してもよい。
【００８６】
表示切替ボタン３１３ａ，３１３ｂは、宴会場所表示領域３１２に表示されている宴会場所のリストを切り替えるボタンである。表示切替ボタン３１３ａをユーザがマウス等で操作すると、表示されている宴会場所の候補のリストが、よりポイントの高いものに切り替わる。一方、表示切替ボタン３１３ｂを操作すると、表示されている宴会場所の候補のリストが、よりポイントの低いものに切り替わる。
【００８７】
情報取得領域３１４は、メンバがドラッグ・アンド・ドロップしたデータから情報が抽出される領域である。処理サーバ１００は、この情報取得領域３１４にドラッグ・アンド・ドロップされた電子メール等のデータから、情報更新処理（図１０において前述）によって情報を抽出してもよい。
【００８８】
入力画面起動ボタン３１５は、メンバがデータの入力を行う図示しないデータ入力画面を起動するボタンである。データ入力画面は、メンバが操作する端末装置３１のモニタに表示される。メンバは、このデータ入力画面によって、宴会場所テーブル１５１ａ（図５において前述）に格納されている宴会場所情報、参加者テーブル１５２ａ（図６において前述）に格納されている参加者情報および利用履歴テーブル１５３ａ（図７において前述）に格納されている利用履歴情報の新たな入力または更新の入力を行う。
【００８９】
設定画面起動ボタン３１６は、メンバがデータの入力を行う図示しない設定画面を起動するボタンである。設定画面は、メンバが操作する端末装置３１のモニタに表示される。メンバは、この設定画面によって、処理サーバ１００が有する宴会場所推薦機能の設定の詳細の入力を行う。
【００９０】
以上のように、本実施の形態によれば、処理サーバ１００が有する宴会場所推薦機能により、組織３０で開催される宴会について、参加者に応じた宴会場所を推薦することが可能になる。これにより、特定のグループ内で開催される参加者の満足度が高い宴会場所の決定を支援することができる。
【００９１】
なお、上記の処理機能は、コンピュータによって実現することができる。その場合、処理サーバ１００が有すべき機能の処理内容を記述したプログラムが提供される。そのプログラムをコンピュータで実行することにより、上記処理機能がコンピュータ上で実現される。
【００９２】
処理内容を記述したプログラムは、コンピュータで読み取り可能な記録媒体に記録しておくことができる。コンピュータで読み取り可能な記録媒体には、磁気記録装置、光ディスク、光磁気記録媒体、半導体メモリ等がある。磁気記録装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記録媒体には、ＭＯ（Magneto - Optical disk）等がある。
【００９３】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを通じて、サーバコンピュータから他のコンピュータにそのプログラムを転送することもできる。
【００９４】
上記プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００９５】
以上、開示の宴会場所推薦装置および宴会場所推薦プログラムを、図示の実施の形態に基づいて説明したが、各部の構成は同様の機能を有する任意の構成のものに置換することができる。また、開示の技術に他の任意の構成物や工程が付加されてもよい。また、開示の技術は前述した実施の形態のうちの任意の２以上の構成を組み合わせたものであってもよい。
【００９６】
上記については単に本発明の原理を示すものである。さらに、多数の変形、変更が当業者にとって可能であり、開示の技術は上記に示し、説明した正確な構成および応用例に限定されるものではなく、対応するすべての変形例および均等物は、添付の請求項およびその均等物による本発明の範囲とみなされる。
【００９７】
（付記１）  所定のグループ内で開催される宴会の参加者に関する情報である参加者情報を格納する参加者情報記憶手段と、
前記宴会の開催場所となり得る宴会場所に関する情報である宴会場所情報を格納する宴会場所情報記憶手段と、
開催が予定されている前記宴会に関する宴会情報を取得する取得手段と、
前記参加者情報記憶手段に格納されている前記参加者情報と、前記宴会場所情報記憶手段に格納されている前記宴会場所情報と、前記取得手段によって取得された前記宴会情報とに基づいて前記宴会場所情報に示された前記宴会場所から推薦する前記宴会場所を選択する選択手段と、
前記選択手段によって選択された前記宴会場所を示す推薦情報を出力する出力手段と、
を有することを特徴とする宴会場所推薦装置。
【００９８】
（付記２）  前記参加者情報は、前記参加者の居場所に関する情報である居場所情報を含み、
前記宴会場所情報は、前記宴会場所の所在地に関する情報である所在地情報を含み、
前記選択手段は、前記参加者情報の前記居場所情報と前記宴会場所情報の前記所在地情報とを比較することによって前記宴会場所を評価し、評価結果に基づいて前記宴会場所情報に示された前記宴会場所から推薦する前記宴会場所を選択することを特徴とする付記１記載の宴会場所推薦装置。
【００９９】
（付記３）  前記参加者情報は、前記参加者の飲食物の好みに関する情報である好み情報を含み、
前記宴会場所情報は、前記宴会場所で提供される飲食物の情報である提供情報を含み、
前記選択手段は、前記参加者情報の前記好み情報と前記宴会場所情報の前記提供情報とを比較し、比較結果に基づいて前記宴会場所情報に示された前記宴会場所から推薦する前記宴会場所を選択することを特徴とする付記１記載の宴会場所推薦装置。
【０１００】
（付記４）  前記参加者が前記宴会場所を利用した利用履歴を示す利用履歴情報を格納する利用履歴情報記憶手段を有し、
前記選択手段は、前記利用履歴情報に基づいて、前記参加者の利用が少ない前記宴会場所を選択することを特徴とする付記１記載の宴会場所推薦装置。
【０１０１】
（付記５）  前記選択手段による選択の際の各項目の重みを示す重み情報を格納する重み情報記憶手段を有し、
前記選択手段は、前記重み情報に基づいて前記宴会場所から推薦する前記宴会場所を選択することを特徴とする付記１記載の宴会場所推薦装置。
【０１０２】
（付記６）  前記重み情報は、前記宴会において重要な前記参加者を特定する重要参加者情報を含み、
前記選択手段は、前記重要参加者情報に基づいて、前記重要参加者の前記参加者情報と前記利用履歴情報とから得られる評価に大きい重みを付けて評価して、前記宴会場所から推薦する前記宴会場所を選択することを特徴とする付記５記載の宴会場所推薦装置。
【０１０３】
（付記７）  前記選択手段は、前記宴会場所情報の前記所在地情報に基づいて、前記宴会の候補を除外することを特徴とする付記２記載の宴会場所推薦装置。
（付記８）  電子メールの送受信を管理するメール管理装置と通信する通信手段と、
前記参加者情報記憶手段に格納されている前記参加者情報と、前記宴会場所情報記憶手段に格納されている前記宴会場所情報と、前記利用履歴情報記憶手段に格納されている前記利用履歴情報とを更新する更新手段とを有し、
前記取得手段は、前記通信手段によって前記メール管理装置と通信することにより、前記メール管理装置から前記電子メールに関する情報であるメール情報を取得し、
前記更新手段は、前記取得手段によって取得された前記メール情報に基づいて前記参加者情報と、前記宴会場所情報と、前記利用履歴情報とを更新することを特徴とする付記４記載の宴会場所推薦装置。
【０１０４】
（付記９）  前記出力手段は、前記選択手段によって選択された前記宴会場所を示す前記推薦情報を、表示手段に前記評価結果に基づいて整列した一覧として表示されるように出力することを特徴とする付記２記載の宴会場所推薦装置。
【０１０５】
（付記１０）  コンピュータに、
取得手段が、開催が予定されている、所定のグループ内で開催される宴会に関する宴会情報を取得する取得ステップと、
選択手段が、参加者情報記憶手段に格納されている前記宴会の参加者に関する情報である参加者情報と、宴会場所情報記憶手段に格納されている前記宴会の開催場所となり得る宴会場所に関する情報である宴会場所情報と、前記取得手段によって取得された前記宴会情報とに基づいて前記宴会場所情報に示された前記宴会場所から推薦する前記宴会場所を選択する選択ステップと、
出力手段が、前記選択手段によって選択された前記宴会場所を示す推薦情報を出力する出力ステップと、
を実行させることを特徴とする宴会場所推薦プログラム。
【図面の簡単な説明】
【０１０６】
【図１】本実施の形態の概要を示す図である。
【図２】本実施の形態のシステム構成を示す図である。
【図３】処理サーバのハードウェア構成を示す図である。
【図４】処理サーバの構成を示すブロック図である。
【図５】宴会場所テーブルの構成例を示す図である。
【図６】参加者テーブルの構成例を示す図である。
【図７】利用履歴テーブルの構成例を示す図である。
【図８】重みテーブルの構成例を示す図である。
【図９】推薦宴会場所選択処理の手順を示すフローチャートである。
【図１０】情報更新処理の手順を示すフローチャートである。
【図１１】推薦画面を示す図である。
【符号の説明】
【０１０７】
１  宴会場所推薦装置
１ａ  取得手段
１ｂ  選択手段
１ｃ  出力手段
１ｄ  参加者情報記憶手段
１ｅ  宴会場所情報記憶手段
【図１】
2010033484.tif 000003
【図２】
2010033484.tif 000004
【図３】
2010033484.tif 000005
【図４】
2010033484.tif 000006
【図５】
2010033484.tif 000007
【図６】
2010033484.tif 000008
【図７】
2010033484.tif 000009
【図８】
2010033484.tif 000010
【図９】
2010033484.tif 000011
【図１０】
2010033484.tif 000012
【図１１】
2010033484.tif 000013